(57)【要約】      （修正有）【課題】  作業者によるドレン排出作業を不要とすると共に、高価なドレン自動排出装置を用いずに、空気槽内で発生したドレンを簡便に排出することができる噴霧装置の提供。【解決手段】  圧縮空気を吐出する空気圧縮機１と、圧縮空気を貯留する空気槽５と、水を貯留する貯水槽１５と、圧縮空気と水とを混合して噴霧する噴霧ノズル１０とを備え、噴霧ノズル１０に空気槽５の底部に連通する配管８，１６と貯水槽１５に連通する配管１７とを接続し、圧縮空気と共に空気槽５に溜まったドレンを水と混合して噴霧する。【選択図】    図１
2006255541.tif 000002
【特許請求の範囲】
【請求項１】
圧縮空気を吐出する空気圧縮機と、圧縮空気を貯留する空気槽と、液体を貯留する液体槽と、圧縮空気と液体とを混合して噴霧する噴霧ノズルとを備え、
前記噴霧ノズルに前記空気槽の底部に連通する配管と液体槽に連通する配管とを接続し、圧縮空気と共に空気槽に溜まったドレンを液体と混合して噴霧することを特徴とする噴霧装置。
【発明の詳細な説明】
【技術分野】
【０００１】
本発明は、圧縮空気と液体とを混合して噴霧する噴霧装置に関する。
【背景技術】
【０００２】
図２は圧縮空気と水とを混合して噴霧する水噴霧装置の構成を示す図であって、この水噴霧装置は例えば、靴等に付着した泥を除去することに用いられる。前記水噴霧装置は空気圧縮機１と空気槽５と貯水槽１５と噴霧ノズル１０とを備え、前記空気圧縮機１が吐出した圧縮空気を一旦空気槽５で貯留してから該圧縮空気を噴霧ノズル１０に供給し、前記噴霧ノズル１０は混合部１１内の空気通路を圧縮空気が流通することで貯水槽１５内の水を該混合部１１内に吸い上げ、圧縮空気と水とを混合して大気へ噴霧する。
【０００３】
前記空気圧縮機１はモータ４によって駆動されることにより外気を吸入して圧縮し、圧縮空気は空気槽５内に吐出される。前記空気槽５に貯留される圧縮空気は温度低下により該空気中の水分が凝縮して空気槽５の底部にドレンが溜まる。このように空気槽５の底部に溜まったドレンは定期的に排出する必要があり、例えば空気圧縮機１の運転を停止したときに作業者が空気槽５の底部と連通するドレン配管２４に設けたドレンコック２５を開いてドレンを機外に排出したり、前記ドレン配管２４にドレン自動排出装置を設け、ドレンが所定量溜まったときに自動で排出弁を開いてドレンを機外へ排出していた（特許文献１参照）。
【０００４】
本発明の先行技術文献情報としては次のものがある。
【特許文献１】実公平４−３３４３１号公報
【発明の開示】
【発明が解決しようとする課題】
【０００５】
しかしながら、作業者はドレンコック２５を開いてドレンを機外に排出するドレンの排出作業を煩わしく思っていて確実に行われないことから、空気槽５内に長期間ドレンが貯留されてしまう。また、ドレン配管２５にドレン自動排出装置を設けた場合には、作業者によるドレンの排出作業が不要となることから確実にドレンの排出が行われるが、ドレン自動排出装置は高価である。
【０００６】
このことから、本発明は噴霧装置において、作業者によるドレン排出作業を不要とすると共に、高価なドレン自動排出装置を用いずに、空気槽内で発生したドレンを簡便に排出することを目的とする。
【課題を解決するための手段】
【０００７】
上記目的を達成するために、本発明の噴霧装置は、圧縮空気を吐出する空気圧縮機１と、圧縮空気を貯留する空気槽５と、液体を貯留する液体槽１５と、圧縮空気と液体とを混合して噴霧する噴霧ノズル１０とを備え、前記噴霧ノズル１０に前記空気槽５の底部に連通する配管８，１６と液体槽１５に連通する配管１７とを接続し、圧縮空気と共に空気槽５に溜まったドレンを液体と混合して噴霧することを特徴とする。
【発明の効果】
【０００８】
本発明の噴霧装置は、噴霧ノズル１０に空気槽５の底部に連通する配管８，１６と液体槽１５に連通する配管１７とを接続し、圧縮空気と共に空気槽５に溜まったドレンを液体と混合して噴霧することから、作業者によるドレン排出作業を不要とすると共に、高価なドレン自動排出装置を用いずに、空気槽５内で発生したドレンを簡便に排出することができ、空気槽５内に長期間ドレンが貯留されることがない。また、空気槽５の上部と連通する配管７，２２から供給される圧縮空気にはドレンを含んでいないことから、従来と同様にドレンの含有を嫌う一般的な空気機器に圧縮空気を供給することが可能である。
【発明を実施するための最良の形態】
【０００９】
次に、本発明の実施形態について添付図面を参照しながら以下説明する。
【００１０】
〔実施形態１〕
図１は、本発明の水噴霧装置を示す図である。
【００１１】
水噴霧装置は、圧縮空気を吐出する空気圧縮機１と、圧縮空気を貯留する空気槽５と、液体である水を貯留する貯水槽１５と、圧縮空気と水とを混合して噴霧する噴霧ノズル１０及び圧縮空気を噴出する空気ノズル２０とを備え、水噴霧装置の筐体２内に、前記空気圧縮機１と、前記空気圧縮機１を駆動するモータ４と、前記空気槽５とを収容している。
【００１２】
前記空気槽５には第１の空気配管７と第２の空気配管８とが接続され、それぞれの配管の他端は機外へ延設し、前記第１の空気配管７は一端を空気槽５の上部と連通すると共に他端を柔軟性のある空気ホース２２を介して前記空気ノズル２０と連通し、前記第２の空気配管８は一端を空気槽５の底部と連通すると共に他端を柔軟性のある空気ホース１６を介して前記噴霧ノズル１０と連通している。
【００１３】
前記噴霧ノズル１０には圧縮空気と水とを混合する混合部１１を備え、前記混合部１１には空気槽５の底部と連通する前記空気ホース１６と共に前記貯水槽１５に連通する水ホース１７を接続している。本実施形態の混合部１１には噴霧量を調整する引き金１２が設けられていて、この引き金１２を引くことにより前記混合部１１に内蔵する弁体を開き、混合部１１内の空気通路を圧縮空気が高速で流通することにより貯水槽１５内の水を該混合部１１へ吸い上げ、圧縮空気と水とを混合する。
【００１４】
なお、本実施形態は空気槽５を筐体２内に収納しているが、空気槽５を筐体２外に配置してもよい。また、本実施形態では貯水槽１５を筐体２外に配置しているが、貯水槽１５を筐体２内に収納してもよく、前記貯水槽１５内にフロート弁を設け、貯水槽１５内の水位が所定の水位まで下がると弁を開いて水道からの水を貯水槽１５内に給水し、貯水槽１５内の水位が所定の水位まで上がると弁を閉じて給水を止めるようにしてもよい。
【００１５】
以上のように構成された水噴霧装置は、モータ４が空気圧縮機１を駆動することにより、外気を空気圧縮機１に吸入して圧縮し、圧縮空気は空気槽５内に吐出され一旦貯留される。空気槽内で圧縮空気が貯留されると、温度低下により該空気中の水分が凝縮して空気槽５の底部にドレンが溜まる。
【００１６】
前記噴霧ノズル１０の引き金１２を引くと前記混合部１１に内蔵する弁体が開き、この混合部１１内の空気通路を圧縮空気が流通する。そして、前記空気槽５内の底部に溜まったドレンは、圧縮空気の圧力と大気との圧力差によって空気槽５から前記第２の空気配管８及び前記空気ホース１６を介して前記混合部１１まで押し出される。前記混合部１１では空気通路を圧縮空気が高速で流通することによって前記水ホース１７を介して前記貯水槽１５内の水を吸い上げ、圧縮空気とドレンと水とを混合する。その後、噴霧パイプの先端から圧縮空気とドレンと水との混合流体を大気へ噴霧する。なお、空気槽５内で発生したドレンは空気中の水分が凝縮したものであるから、不純物の少ない蒸留水で、噴霧される水とほとんど変わらない。
【００１７】
これにより、ドレンが圧縮空気及び水と共に噴霧ノズル１０から噴霧されるので、高価なドレン自動排出装置を用いることなく、作業者によるドレンの排出作業が不要となり、空気槽５内で発生したドレンを簡便に排出することができ、空気槽５内に長期間ドレンが貯留されることがなくなった。
【００１８】
また、第１の空気配管７は空気槽５の上部と連通することから、空気ホース２２を介して空気ノズル２０へ供給される圧縮空気にはドレンを含まず、従来と同様にドレンの含有を嫌う一般的な空気機器に圧縮空気を供給することが可能である。
【００１９】
この水噴霧装置を例えば、靴等に付着した泥を除去することに用いるときには、噴霧ノズル１０の先端を泥が付着した箇所に向けて引き金１２を引き、圧縮空気とドレンと水との混合流体を噴霧し泥を洗い流す。その後空気ノズル２０の先端を靴に向けて引き金２１を引き、ドレンの含まない圧縮空気で水を吹き飛ばし靴を乾燥させることができる。
【００２０】
なお、本発明の噴霧装置は実施形態の水噴霧装置に限定されず、貯水槽１５に薬液、例えば消毒液などの水分を含んでも何ら問題ない液体を貯留して、圧縮空気と薬液およびドレンとを混合して噴霧するようにしてもよい。
【００２１】
さらに、第２の空気配管８又は空気ホース１６に電磁弁を設け、電磁弁に作動信号を入力することにより弁体を開閉し、噴霧ノズル１０への圧縮空気の供給を開始又は停止する。このとき、混合部１１に内蔵し引き金２１の操作により作動する弁体は設ける必要はない。
【００２２】
さらに、本実施形態の混合部１１は空気通路を圧縮空気が流通することで貯水槽の水を吸い上げるが、これに代えて水ホース１７に水ポンプを設け、混合部１１で圧縮空気と加圧水及びドレンを混合するようにしてもよい。
【図面の簡単な説明】
【００２３】
【図１】水噴霧装置の構成を示す図。
【図２】従来の水噴霧装置の構成を示す図。
【符号の説明】
【００２４】
１  空気圧縮機
２  筐体
４  モータ
５  空気槽
７  第１の空気配管
８  第２の空気配管
１０  噴霧ノズル
１１  混合部
１５  貯水槽
【図１】
2006255541.tif 000003
【図２】
2006255541.tif 000004